(57)【特許請求の範囲】
【請求項１】
ユーザ機器（ＵＥ）がワイヤレス通信するための方法であって、
エンハンスド物理ダウンリンク制御チャネル（ＰＤＣＣＨ）に割振られた１つまたは複数のサブフレーム中の時間および周波数リソースのセットを示すシグナリングを受信することと、
前記エンハンスドＰＤＣＣＨのためにモニタするサブフレームのサブセットを示す構成を提供するメッセージを受信すること、
サブフレーム中のダウンリンク送信を受信することと、
前記シグナリングおよび前記メッセージに基づいて前記サブフレーム中の前記エンハンスドＰＤＣＣＨのためにモニタする決定を行うことと、
前記決定に応じて、前記サブフレーム中の前記時間および周波数リソースのセットを使用して送信された前記エンハンスドＰＤＣＣＨを復号することと
を備える、方法。
【請求項２】
前記リソースのセットは、物理ダウンリンク共有チャネル（ＰＤＳＣＨ）のためにさらに使用される領域に及ぶ、
請求項１に記載の方法。
【請求項３】
前記リソースのセットは、局在リソース割振りを有し、前記サブフレームの前半中の前記エンハンスドＰＤＣＣＨのために割振られたリソースは、前記エンハンスドＰＤＣＣＨのために割振られた前記サブフレームの後半中のリソースとペアを組む、
請求項１に記載の方法。
【請求項４】
前記リソースのセットは、分散リソース割振りを有し、前記リソースのセットは、不連続リソースブロックに割振られる、
請求項１に記載の方法。
【請求項５】
前記エンハンスドＰＤＣＣＨのために割振られる前記リソースのセットは、物理リソースブロック（ＰＲＢ）ペアを備えるユニット中に配置される、
請求項１に記載の方法。
【請求項６】
リソースの少なくとも２つセットは、前記エンハンスドＰＤＣＣＨのために構成される、
請求項１に記載の方法。
【請求項７】
前記メッセージは、ユニキャストメッセージおよびブロードキャストメッセージのうちの１つであり、前記構成は、ビットマップを介して前記サブフレームのサブセットを示す、
請求項１に記載の方法。
【請求項８】
前記サブフレーム中の前記エンハンスドＰＤＣＣＨをモニタしないように決定が行われる場合、サブフレーム中のレガシーＰＤＣＣＨをモニタすることをさらに備える、請求項１に記載の方法。
【請求項９】
すべてのサブフレーム中の前記エンハンスドＰＤＣＣＨをモニタする決定を行うことを備える、
請求項１に記載の方法。
【請求項１０】
前記サブフレーム中の前記エンハンスドＰＤＣＣＨをモニタすることは、前記ＵＥに固有の探索空間をモニタすることを備える、
請求項１に記載の方法。
【請求項１１】
制御フォーマットインジケータチャネルを検出することに応じて、前記制御フォーマットインジケータチャネルに基づいてサブフレーム中の前記エンハンスドＰＤＣＣＨのための前記リソースのセットのスターティングシンボルを決定することをさらに備える、請求項１に記載の方法。
【請求項１２】
制御フォーマットインジケータチャネルを検出しないことに応じて、無線通信リソース制御（ＲＲＣ）構成に基づいて前記エンハンスドＰＤＣＣＨのための前記リソースのセットのスターティングシンボルを決定することをさらに備える、
請求項１に記載の方法。
【請求項１３】
第１のサブフレーム中の第１のスターティングシンボルを決定することと、第２のサブフレーム中の前記第１のスターティングシンボルと異なる、第２のスターティングシンボルを決定することと
をさらに備える請求項１２に記載の方法。
【請求項１４】
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
請求項１３に記載の方法。
【請求項１５】
サブフレーム中のユニキャストに対する前記エンハンスドＰＤＣＣＨのための前記リソースのセットの第１のスターティングシンボルを決定することと、同じサブフレーム中のブロードキャストまたはマルチキャストに対する前記エンハンスドＰＤＣＣＨのためのリソースのセットの、前記第１のスターティングシンボルと異なる、第２のスターティングシンボルを決定することと
をさらに備える、請求項１に記載の方法。
【請求項１６】
前記エンハンスドＰＤＣＣＨのスターティングシンボルを利用することによって物理ダウンリンクデータ共有チャネル（ＰＤＳＣＨ）のためのスターティングシンボルを決定することをさらに備える、
請求項１に記載の方法。
【請求項１７】
前記エンハンスドＰＤＣＣＨ中のインジケーションに基づいて前記エンハンスドＰＤＣＣＨによってスケジュールされる物理ダウンリンクデータ共有チャネル（ＰＤＳＣＨ）のためのスターティングシンボルを動的に決定することをさらに備える、
請求項１に記載の方法。
【請求項１８】
基地局がワイヤレス通信するための方法であって、前記方法は、
ユーザ機器（ＵＥ）に、エンハンスド物理ダウンリンク制御チャネル（ＰＤＣＣＨ）のために割振られた１つまたは複数のサブフレーム中の時間および周波数リソースのセットを示すシグナリングを送信することと、
前記エンハンスドＰＤＣＣＨのためにモニタするサブフレームのサブセットを示す構成を提供するメッセージを送信すること
前記サブフレームのサブセット中の前記エンハンスドＰＤＣＣＨを送信する決定を行うことと、
前記決定に応じて、前記サブフレームのサブセット中の前記時間および周波数リソースのセットを使用して前記エンハンスドＰＤＣＣＨを送信することと
を備える方法。
【請求項１９】
前記リソースのセットは、物理ダウンリンク共有チャネル（ＰＤＳＣＨ）のためにさらに使用される領域に及ぶ、請求項１８に記載の方法。
【請求項２０】
前記リソースのセットは、局在リソース割振りを有し、前記サブフレーム中の前半中の前記エンハンスドＰＤＣＣＨのために割振られたリソースは、前記エンハンスドＰＤＣＣＨのために割振られた前記サブフレームの後半中のリソースとペアを組む、請求項１８に記載の方法。
【請求項２１】
前記リソースのセットは、分散リソース割振りを有し、前記リソースのセットは、不連続リソースブロック中に割振られる、
請求項１８に記載の方法。
【請求項２２】
前記エンハンスドＰＤＣＣＨのために割振られた前記リソースのセットは、物理リソースブロック（ＰＲＢ）ペアを備えるユニットに配置される、
請求項１８に記載の方法。
【請求項２３】
リソースの少なくとも２つセットは、前記エンハンスドＰＤＣＣＨのために構成される、
請求項１８に記載の方法。
【請求項２４】
前記メッセージは、ユニキャストメッセージおよびブロードキャストメッセージのうちの１つであり、前記構成は、ビットマップを介して前記サブフレームのサブセットを示す、
請求項１８に記載の方法。
【請求項２５】
前記サブフレーム中の前記エンハンスドＰＤＣＣＨを送信しないように決定が行われる場合、前記サブフレーム中のレガシーＰＤＣＣＨを送信することをさら備える、請求項１８に記載の方法。
【請求項２６】
前記基地局は、すべてのサブフレーム中のエンハンスドＰＤＣＣＨを送信するように決定を行うことを許容する、
請求項１８に記載の方法。
【請求項２７】
前記サブフレーム中の前記エンハンスドＰＤＣＣＨを送信することは、前記ＵＥに固有の探索空間中の前記エンハンスドＰＤＣＣＨを送信することを備える、
請求項１８に記載の方法。
【請求項２８】
制御フォーマットインジケータチャネルに基づいてサブフレーム中の前記エンハンスドＰＤＣＣＨのための前記リソースのセットのスターティングシンボルを決定することをさらに備える、
請求項１８に記載の方法。
【請求項２９】
無線リソース制御（ＲＲＣ）シグナリングを介して、前記エンハンスドＰＤＣＣＨのための前記リソースのセットのスターティングシンボルを示す構成を送信することをさらに備える、
請求項１８に記載の方法。
【請求項３０】
第１のサブフレーム中の第１のスターティングシンボルを決定することと、第２のサブフレーム中の、前記第１スターティングシンボルと異なる、第２のスターティングシンボルを決定することと
をさらに備える、請求項２９に記載の方法。
【請求項３１】
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
請求項３０に記載の方法。
【請求項３２】
サブフレーム中のユニキャストに対する前記エンハンスドＰＤＣＣＨのための前記リソースのセットの第１のスターティングシンボルを決定することと、同じサブフレーム中のブロードキャストまたはマルチキャストに対する前記エンハンスドＰＤＣＣＨのためのリソースのセットの、前記第１のスターティングシンボルと異なる、第２のスターティングシンボルを決定することと
をさらに備える、請求項１８に記載の方法。
【請求項３３】
前記エンハンスドＰＤＣＣＨのスターティングシンボルインデックスを利用することによって物理ダウンリンクデータ共有チャネル（ＰＤＳＣＨ）のためのスターティングシンボルを決定することをさらに備える、
請求項１８に記載の方法。
【請求項３４】
前記エンハンスドＰＤＣＣＨ中のインジケーションを提供することによって、前記エンハンスドＰＤＣＣＨによってスケジュールされる物理ダウンリンクデータ共有チャネル（ＰＤＳＣＨ）のためのスターティングシンボルを動的に示すことをさらに備える、請求項１８に記載の方法。
【請求項３５】
ユーザ機器がワイヤレス通信するための装置であって、
エンハンスド物理ダウンリンク制御チャネル（ＰＤＣＣＨ）に割振られた１つまたは複数のサブフレーム中の時間および周波数リソースのセットを示すシグナリングを受信するための手段と、
前記エンハンスドＰＤＣＣＨのためにモニタするサブフレームのサブセットを示す構成を提供するメッセージを受信する手段と、
サブフレーム中のダウンリンク送信を受信するための手段と、
前記シグナリングおよび前記メッセージに基づいて前記サブフレーム中の前記エンハンスドＰＤＣＣＨのためにモニタする決定を行うための手段と、
前記決定に応じて、前記サブフレーム中の前記時間および周波数リソースのセットを使用して送信された前記エンハンスドＰＤＣＣＨを復号するための手段と
を備える、装置。
【請求項３６】
前記リソースのセットは、物理ダウンリンク共有チャネル（ＰＤＳＣＨ）のためにさらに使用される領域に及ぶ、
請求項３５に記載の装置。
【請求項３７】
前記リソースのセットは、局在リソース割振りを有し、前記サブフレームの前半中の前記エンハンスドＰＤＣＣＨのために割振られたリソースは、前記エンハンスドＰＤＣＣＨのために割振られた前記サブフレームの後半中のリソースとペアを組む、
請求項３５に記載の装置。
【請求項３８】
前記リソースのセットは、分散リソース割振りを有し、前記リソースのセットは、不連続リソースブロックに割振られる、
請求項３５に記載の装置。
【請求項３９】
前記エンハンスドＰＤＣＣＨのために割振られる前記リソースのセットは、物理リソースブロック（ＰＲＢ）ペアを備えるユニット中に配置される、
請求項３５に記載の装置。
【請求項４０】
リソースの少なくとも２つセットは、前記エンハンスドＰＤＣＣＨのために構成される、
請求項３５に記載の装置。
【請求項４１】
前記メッセージは、ユニキャストメッセージおよびブロードキャストメッセージのうちの１つであり、前記構成は、ビットマップを介して前記サブフレームのサブセットを示す、
請求項３５に記載の装置。
【請求項４２】
前記サブフレーム中の前記エンハンスドＰＤＣＣＨをモニタしないように決定が行われる場合、サブフレーム中のレガシーＰＤＣＣＨをモニタするための手段をさらに備える、請求項３５に記載の装置。
【請求項４３】
すべてのサブフレーム中の前記エンハンスドＰＤＣＣＨをモニタする決定を行うための手段を備える、
請求項３５に記載の装置。
【請求項４４】
前記サブフレーム中の前記エンハンスドＰＤＣＣＨをモニタするための前記手段は、前記ＵＥに固有の探索空間をモニタするための手段を備える、
請求項３５に記載の装置。
【請求項４５】
制御フォーマットインジケータチャネルを検出することに応じて、前記制御フォーマットインジケータチャネルに基づいてサブフレーム中の前記エンハンスドＰＤＣＣＨのための前記リソースのセットのスターティングシンボルを決定するための手段をさらに備える、
請求項３５に記載の装置。
【請求項４６】
制御フォーマットインジケータチャネルを検出しないことに応じて、無線通信リソース制御（ＲＲＣ）構成に基づいて前記エンハンスドＰＤＣＣＨのための前記リソースのセットのスターティングシンボルを決定するための手段をさらに備える、
請求項３５に記載の装置。
【請求項４７】
第１のサブフレーム中の第１のスターティングシンボルを決定するための手段と、第２のサブフレーム中の前記第１のスターティングシンボルと異なる、第２のスターティングシンボルを決定するための手段と
をさらに備える請求項４６に記載の装置。
【請求項４８】
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
請求項４７に記載の装置。
【請求項４９】
サブフレーム中のユニキャストのための前記エンハンスドＰＤＣＣＨのための前記リソースのセットの第１のスターティングシンボルを決定するための手段と、同じサブフレーム中のブロードキャストまたはマルチキャストのための前記エンハンスドＰＤＣＣＨのためのリソースのセットの、前記第１のスターティングシンボルと異なる、第２のスターティングシンボルを決定するための手段と
をさらに備える、請求項３５に記載の装置。
【請求項５０】
前記エンハンスドＰＤＣＣＨのスターティングシンボルを利用することによって物理ダウンリンクデータ共有チャネル（ＰＤＳＣＨ）のためのスターティングシンボルを決定するための手段をさらに備える、
請求項３５に記載の装置。
【請求項５１】
前記エンハンスドＰＤＣＣＨ中のインジケーションに基づいて前記エンハンスドＰＤＣＣＨによってスケジュールされる物理ダウンリンクデータ共有チャネル（ＰＤＳＣＨ）のためのスターティングシンボルを動的に決定するための手段をさらに備える、請求項３５に記載の装置。
【請求項５２】
基地局がワイヤレス通信するための装置であって、前記装置は、
ユーザ機器（ＵＥ）に、エンハンスド物理ダウンリンク制御チャネル（ＰＤＣＣＨ）のために割振られた１つまたは複数のサブフレーム中の時間および周波数リソースのセットを示すシグナリングを送信するための手段と、
前記エンハンスドＰＤＣＣＨのためにモニタするサブフレームのサブセットを示す構成を提供するメッセージを送信するための手段と、
前記サブフレームのサブセット中の前記エンハンスドＰＤＣＣＨを送信する決定を行うための手段と、
前記決定に応じて、前記サブフレームのサブセット中の前記時間および周波数リソースのセットを使用して前記エンハンスドＰＤＣＣＨを送信するための手段と
を備える、装置。
【請求項５３】
前記リソースのセットは、物理ダウンリンク共有チャネル（ＰＤＳＣＨ）のためにさらに使用される領域に及ぶ、請求項５２に記載の装置。
【請求項５４】
前記リソースのセットは、局在リソース割振りを有し、前記サブフレーム中の前半中の前記エンハンスドＰＤＣＣＨのために割振られたリソースは、前記エンハンスドＰＤＣＣＨのために割振られた前記サブフレームの後半中のリソースとペアを組む、請求項５２に記載の装置。
【請求項５５】
前記リソースのセットは、分散リソース割振りを有し、前記リソースのセットは、不連続リソースブロック中に割振られる、
請求項５２に記載の装置。
【請求項５６】
前記エンハンスドＰＤＣＣＨのために割振られた前記リソースのセットは、物理リソースブロック（ＰＲＢ）ペアを備えるユニットに配置される、
請求項５２に記載の装置。
【請求項５７】
リソースの少なくとも２つセットは、前記エンハンスドＰＤＣＣＨのために構成される、
請求項５２に記載の装置。
【請求項５８】
前記メッセージは、ユニキャストメッセージおよびブロードキャストメッセージのうちの１つであり、前記構成は、ビットマップを介して前記サブフレームのサブセットを示す、
請求項５２に記載の装置。
【請求項５９】
前記サブフレーム中の前記エンハンスドＰＤＣＣＨを送信しないように決定が行われる場合、前記サブフレーム中のレガシーＰＤＣＣＨを送信するための手段をさら備える、請求項５２に記載の装置。
【請求項６０】
前記基地局は、決定がすべてのサブフレーム中のエンハンスドＰＤＣＣＨを送信することを許容する、
請求項５２に記載の装置。
【請求項６１】
前記サブフレーム中の前記エンハンスドＰＤＣＣＨを送信するための手段は、前記ＵＥに固有の探索空間中の前記エンハンスドＰＤＣＣＨを送信することを備える、請求項５２に記載の装置。
【請求項６２】
制御フォーマットインジケータチャネルに基づいてサブフレーム中の前記エンハンスドＰＤＣＣＨのための前記リソースのセットのスターティングシンボルを決定するための手段をさらに備える、
請求項５２に記載の装置。
【請求項６３】
無線リソース制御（ＲＲＣ）シグナリングを介して、前記エンハンスドＰＤＣＣＨのための前記リソースのセットのスターティングシンボルを示す構成を送信するための手段をさらに備える、
請求項５２に記載の装置。
【請求項６４】
第１のサブフレーム中の第１のスターティングシンボルを決定するための手段と、第２のサブフレーム中の、前記第１スターティングシンボルと異なる、第２のスターティングシンボルを決定することと
をさらに備える、請求項６３に記載の装置。
【請求項６５】
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
請求項６４に記載の装置。
【請求項６６】
サブフレーム中のユニキャストのための前記エンハンスドＰＤＣＣＨのための前記リソースのセットの第１のスターティングシンボルを決定するための手段と、同じサブフレーム中のブロードキャストまたはマルチキャストのための前記エンハンスドＰＤＣＣＨのためのリソースのセットの、前記第１のスターティングシンボルと異なる、第２のスターティングシンボルを決定するための手段と
をさらに備える、請求項５２に記載の装置。
【請求項６７】
前記エンハンスドＰＤＣＣＨのスターティングシンボルインデックスを利用することによって物理ダウンリンクデータ共有チャネル（ＰＤＳＣＨ）のためのスターティングシンボルを決定するための手段をさらに備える、
請求項５２に記載の装置。
【請求項６８】
前記エンハンスドＰＤＣＣＨ中のインジケーションを提供することによって、前記エンハンスドＰＤＣＣＨによってスケジュールされる物理ダウンリンクデータ共有チャネル（ＰＤＳＣＨ）のためのスターティングシンボルを動的に示すための手段をさらに備える、請求項５２に記載の装置。
【請求項６９】
ユーザ機器（ＵＥ）がワイヤレス通信するための装置であって、
エンハンスド物理ダウンリンク制御チャネル（ＰＤＣＣＨ）に割振られた１つまたは複数のサブフレーム中の時間および周波数リソースのセットを示すシグナリングを受信することと、
前記エンハンスド物理ダウンリンク制御チャネル（ＰＤＣＣＨ）をモニタするサブフレームのサブセットを示す構成を提供するメッセージを受信することと、
サブフレーム中のダウンリンク送信を受信することと、
前記シグナリングおよび前記メッセージに基づいて前記サブフレーム中の前記エンハンスドＰＤＣＣＨのためにモニタする決定を行うことと、
前記決定に応じて、前記サブフレーム中の前記時間および周波数リソースのセットを使用して送信された前記エンハンスドＰＤＣＣＨを復号することと
を行うように構成される少なくとも１つのプロセッサと、
前記少なくとも１つのプロセッサに接続されるメモリと
を備える、装置。
【請求項７０】
基地局がワイヤレス通信するための装置であって、
ユーザ機器（ＵＥ）に、エンハンスド物理ダウンリンク制御チャネル（ＰＤＣＣＨ）のために割振られた１つまたは複数のサブフレーム中の時間および周波数リソースのセットを示すシグナリングを送信することと、
前記エンハンスドＰＤＣＣＨをモニタするサブフレームのサブセットを示す構成を提供するメッセージを送信することと、
前記サブフレームのサブセット中の前記エンハンスドＰＤＣＣＨを送信する決定を行うことと、
前記決定に応じて、前記サブフレームのサブセット中の前記時間および周波数リソースのセットを使用して前記エンハンスドＰＤＣＣＨを送信することと
を行うように構成される少なくとも１つのプロセッサと、
前記少なくとも１つのプロセッサに接続されるメモリと
を備える、装置。
【請求項７１】
その上に格納された命令を有するコンピュータプログラムであって、前記命令は、
エンハンスド物理ダウンリンク制御チャネル（ＰＤＣＣＨ）に割振られた１つまたは複数のサブフレーム中の時間および周波数リソースのセットを示すシグナリングを受信することと、
前記エンハンスドＰＤＣＣＨをモニタするサブフレームのサブセットを示す構成を提供するメッセージを受信することと、
サブフレーム中のダウンリンク送信を受信することと、
前記シグナリングおよび前記メッセージに基づいて前記サブフレーム中の前記エンハンスドＰＤＣＣＨのためにモニタする決定を行うことと、
前記決定に応じて、前記サブフレーム中の前記時間および周波数リソースのセットを使用して送信された前記エンハンスドＰＤＣＣＨを復号することと
を１つまたは複数のプロセッサによって実行可能である、コンピュータプログラム。
【請求項７２】
その上に格納された命令を有するコンピュータプログラムであって、前記命令は、
ユーザ機器（ＵＥ）に、エンハンスド物理ダウンリンク制御チャネル（ＰＤＣＣＨ）のために割振られた１つまたは複数のサブフレーム中の時間および周波数リソースのセットを示すシグナリングを送信することと、
前記エンハンスドＰＤＣＣＨをモニタするサブフレームのサブセットを示す構成を提供するメッセージを送信することと、
前記サブフレームのサブセット中の前記エンハンスドＰＤＣＣＨを送信する決定を行うことと、
前記決定に応じて、前記サブフレームのサブセット中の前記時間および周波数リソースのセットを使用して前記エンハンスドＰＤＣＣＨを送信することと
を１つまたは複数のプロセッサによって実行可能である、コンピュータプログラム。
【発明の詳細な説明】
【関連出願】
【０００１】
米国特許法第１１９条に基づく優先権の主張  
本出願は、その全体が参照により本明細書に組み込まれる、２０１１年１１月４日に出願された、米国仮特許出願第６１／５５６，１０６号の利益を主張する。
【技術分野】
【０００２】
本開示の態様は、一般に、ワイヤレス通信システムに関し、より詳細には、物理ダウンリンク制御チャネルのためのリソース管理に関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
本開示のいくつかの態様は、ユーザ機器（ＵＥ）がワイヤレス通信するための方法を提供する。方法は、一般に、エンハンスド物理ダウンリンク制御チャネル（ＰＤＣＣＨ）に割振られた１つまたは複数のサブフレーム中の時間および周波数リソースのセットを示すシグナリングを受信することと、サブフレーム中のダウンリンク送信を受信することと、シグナリングに基づいてサブフレーム中のエンハンスドＰＤＣＣＨのためにモニタする決定を行うことと、決定に応答して、サブフレーム中の時間および周波数リソースのセットを使用して送信されたエンハンスドＰＤＣＣＨを復号することとを含む。
【０００６】
本開示のある態様は、ユーザ機器（ＵＥ）がワイヤレス通信するための装置を提供する。装置は、一般に、エンハンスド物理ダウンリンク制御チャネル（ＰＤＣＣＨ）に割振られた１つまたは複数のサブフレーム中の時間および周波数リソースのセットを示すシグナリングを受信するための手段と、サブフレーム中のダウンリンク送信を受信するための手段と、シグナリングに基づいてサブフレーム中のエンハンスドＰＤＣＣＨのためにモニタする決定を行うための手段と、決定に応答して、サブフレームにおける時間および周波数リソースのセットを使用して送信されたエンハンスドＰＤＣＣＨを復号するための手段とを含む。
【０００７】
本開示のある態様は、ユーザ機器（ＵＥ）がワイヤレス通信するための装置を提供する。装置は、一般に、エンハンスド物理ダウンリンク制御チャネル（ＰＤＣＣＨ）に割振られた１つまたは複数のサブフレーム中の時間および周波数リソースのセットを示すシグナリングを受信することと、サブフレーム中のダウンリンク送信を受信することと、シグナリングに基づくサブフレーム中のエンハンスドＰＤＣＣＨのためにモニタする決定を行うことと、決定に応答して、サブフレームにおける時間および周波数リソースのセットを使用して送信されたエンハンスドＰＤＣＣＨを復号することとを行うように構成された少なくとも１つのプロセッサと、少なくとも１つのプロセッサに接続されたメモリとを含む。
【０００８】
本開示のある態様は、その上に格納された命令を有するコンピュータ可読媒体を備える、ユーザ機器（ＵＥ）がワイヤレス通信するためのコンピュータプログラム製品を提供する。命令は、一般に、エンハンスド物理ダウンリンク制御チャネル（ＰＤＣＣＨ）に割振られた１つまたは複数のサブフレームにおける時間および周波数リソースのセットを示すシグナリングを受信することと、サブフレーム中のダウンリンク送信を受信することと、シグナリングに基づいてサブフレーム中のエンハンスドＰＤＣＣＨのためにモニタする決定を行うことと、決定に応答して、サブフレームにおける時間および周波数リソースのセットを使用して送信されたエンハンスドＰＤＣＣＨを復号することとを少なくとも１つのプロセッサによって実行可能である。
【０００９】
本開示のある態様は、基地局がワイヤレス通信するための方法を提供する。方法は、一般に、ユーザ機器（ＵＥ）に、エンハンスド物理ダウンリンク制御チャネル（ＰＤＣＣＨ）に割振られた１つまたは複数のサブフレーム中の時間および周波数リソースのセットを示すシグナリングを送信することと、サブフレーム中のエンハンスドＰＤＣＣＨを送信する決定を行うことと、決定に応答して、サブフレーム中の時間および周波数リソースのセットを使用してエンハンスドＰＤＣＣＨを送信することとを含む。
【００１０】
本開示のある態様は、基地局がワイヤレス通信するための装置を提供する。装置は、一般に、ユーザ機器に、エンハンスド物理ダウンリンク制御チャネル（ＰＤＣＣＨ）のために割振られた１つまたは複数のサブフレーム中の時間および周波数リソースのセットを示すシグナリングを送信するための手段と、サブフレーム中のエンハンスドＰＤＣＣＨを送信する決定を行うための手段と、決定に応答して、サブフレーム中の時間および周波数リソースのセットを使用してエンハンスドＰＤＣＣＨを送信するための手段とを含む。
【００１１】
本開示のある態様は、基地局がワイヤレス通信するための装置を提供する。装置は、一般に、ユーザ機器に、エンハンスド物理ダウンリンク制御チャネル（ＰＤＣＣＨ）に割振られた１つまたは複数のサブフレーム中の時間および周波数リソースのセットを示すシグナリングを送信することと、サブフレーム中のエンハンスドＰＤＣＣＨを送信する決定を行うことと、決定に応答して、サブフレーム中の時間および周波数リソースのセットを使用してエンハンスドＰＤＣＣＨを送信することと行うように構成された少なくとも１つのプロセッサを含む。
【００１２】
本開示のある態様は、その上に命令を格納するコンピュータ可読媒体を備える基地局がワイヤレス通信するためのコンピュータプログラム製品を提供する。命令は、一般に、ユーザ機器に、エンハンスド物理ダウンリンク制御チャネル（ＰＤＣＣＨ）のために割振られた１つまたは複数のサブフレーム中の時間および周波数リソースのセットを示すシグナリングを送信することと、サブフレーム中のエンハンスドＰＤＣＣＨを送信する決定を行うことと、決定に応答して、サブフレーム中の時間および周波数リソースのセットを使用してエンハンスドＰＤＣＣＨを送信することとを少なくとも１つのプロセッサによって実行可能である。
【００１３】
開示の様々な態様および機能は、より詳細に以下に記述される。
【図面の簡単な説明】
【００１４】
【図１】電気通信システムの例を概念的に説明するブロック図。
【図２】本開示の態様に従って、電気通信システムにおけるダウンリンクフレーム構造の一例を概念的に示すブロック図。
【図３】本開示の１つの態様に従って構成される基地局／ｅノードＢおよびＵＥの設計を概念的に説明するブロック図。
【図４Ａ】連続搬送波アグリゲーションタイプを開示する図。
【図４Ｂ】不連続キャリアアグリゲーションタイプを開示する図
【図５】ＭＡＣレイヤデータアグリゲーションを開示する図。
【図６】複数のキャリア構成において無線リンクを制御するための方法を示すブロック図。
【図７】開示のある態様に従うダウンリンク制御チャネルのための無線構造の例示を示す図。
【図８】開示のある態様に従うダウンリンク制御チャネルのためのサブフレーム構成の例示を示す図。
【図９】開示のある態様に従うダウンリンク制御チャネルのための別のサブフレーム構成の例示を示す図。
【図１０】開示のある態様に従う、ダウンリンク制御チャネルのために割振られたリソースを決定するためのユーザ機器によって実行されうる例示的な動作を示すブロック図。
【図１１】開示のある態様に従う、ダウンリンク制御チャネルのために割振られたリソースを決定するための基地局によって実行されうる例示的な動作を示すブロック図。
【発明を実施するための形態】
【００１５】
添付の図面に関して以下に示す発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１６】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」と「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、グローバルシステムフォーモバイルコミュニケーション（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。明快のために、本技法のいくつか
の態様について以下ではＬＴＥに関して説明し、以下の説明の大部分でＬＴＥ用語を使用する。
【００１７】
図１に、ワイヤレス通信ネットワーク１００を示し、これはＬＴＥネットワークであり得る。ワイヤレスネットワーク１００は、いくつかの発展型ノードＢ（ｅノードＢ）１１０と他のネットワークエンティティとを含み得る。ｅノードＢは、ＵＥと通信する局であり得、基地局、アクセスポイントなどと呼ばれることもある。ノードＢは、ＵＥと通信する局の別の例である。
【００１８】
各ｅノードＢ１１０は、特定の地理的エリアに通信カバレージを与え得る。３ＧＰＰでは、「セル」という用語は、この用語が使用されるコンテキストに応じて、ｅノードのカバレージエリアおよび／またはこのカバレージエリアをサービスしているｅノードＢサブシステムを指すことがある。
【００１９】
ｅノードＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーでき、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００２０】
ワイヤレスネットワーク１００はまた、中継局を含み得る。中継局は、上流局（たとえば、ｅノードＢまたはＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、中継ｅノードＢ、中継器などと呼ばれることもある。中継局も中継器ｅＮｏｄｅＢ、中継器などと呼ばれることがある。
【００２１】
ワイヤレスネットワーク１００は、様々なタイプのｅノードＢ、たとえば、マクロｅノードＢ、ピコｅノードＢ、フェムトｅノードＢ、中継器などを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、および中継器は、より低い送信電力レベル（たとえば、１ワット）を有し得る。
【００２２】
ワイヤレスネットワーク１００は、同期動作または非同期動作をサポートし得る。同期動作の場合、ｅノードＢは同様のフレームタイミングを有し得、異なるｅノードＢからの送信は近似的に時間的にアラインされ得る。非同期動作の場合、ｅノードＢは異なるフレームタイミングを有し得、異なるｅノードＢからの送信は時間的にアラインされないことがある。本明細書で説明する技法は、同期動作と非同期動作の両方のために使用され得る。
【００２３】
ネットワークコントローラ１３０は、ｅノードＢのセットに結合し、これらのｅノードＢの協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２４】
ＵＥ１２０は、ワイヤレスネットワーク１００全体にわたって分散され得、各ＵＥは、固定でも移動でもよい。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、マクロｅノードＢ、ピコｅノードＢ、フェムトｅノードＢ、中継器などと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００２５】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２６】
図２に、ＬＴＥにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は１４個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２７】
ＬＴＥでは、ｅノードＢは、ｅノードＢ中の各セルについてプライマリ同期信号（ＰＳＳ：primary synchronization signal）とセカンダリ同期信号（ＳＳＳ：secondary synchronization signal）とを送り得る。プライマリ同期信号およびセカンダリ同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２８】
ｅノードＢは、図２の第１のシンボル期間全体において示されているが、各サブフレームの第１のシンボル期間の一部のみの中で、物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２９】
ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方法でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００３０】
各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に配置され得る。各ＲＥＧは、１つのシンボル期間中の４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００３１】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅノードＢは、ＵＥが探索することになる組合せのいずれかにおいてＵＥにＰＤＣＣＨを送り得る。
【００３２】
ＵＥは、複数のｅノードＢのカバレージ内にあり得る。そのＵＥをサービスするために、これらのｅノードＢのうちの１つが選択され得る。サービングｅノードＢは、受信電力、パスロス、信号対雑音比（ＳＮＲ）など、様々な基準に基づいて選択され得る。
【００３３】
図３に、図１の基地局／ｅノードＢのうちの１つおよびＵＥのうちの１つであり得る、基地局／ｅノードＢ１１０およびＵＥ１２０の設計を示すブロック図を示す。制限付き関連付けシナリオの場合、基地局１１０は図１のマクロｅノードＢ１１０ｃであり得、ＵＥ１２０はＵＥ１２０ｙであり得る。基地局１１０はまた、何らかの他のタイプの基地局であり得る。基地局１１０はアンテナ６３４ａ〜６３４ｔを備え得、ＵＥ１２０はアンテナ６５２ａ〜６５２ｒを備え得る。
【００３４】
基地局１１０で、送信プロセッサ６２０は、データソース６１２からデータを受信し、コントローラ／プロセッサ６４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ６２０は、データと制御情報とを処理（たとえば、符号化およびシンボルマッピング）して、それぞれデータシンボルと制御シンボルとを取得し得る。プロセッサ６２０はまた、たとえば、ＰＳＳ、ＳＳＳ、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実行し得、出力シンボルストリームを変調器（ＭＯＤ）６３２ａ〜６３２ｔに与え得る。各変調器６３２は、（たとえば、ＯＦＤＭなどのための）それぞれの出力シンボルストリームを処理して、出力サンプルストリームを取得し得る。各変調器６３２はさらに、出力サンプルストリームを処理（たとえば、アナログへの変換、増幅、フィルタ処理、およびアップコンバート）して、ダウンリンク信号を取得し得る。変調器６３２ａ〜６３２ｔからのダウンリンク信号は、それぞれアンテナ６３４ａ〜６３４ｔを介して送信され得る。
【００３５】
ＵＥ１２０において、アンテナ６５２ａ〜６５２ｒは、基地局１１０からダウンリンク信号を受信し得、受信信号をそれぞれ復調器（ＤＥＭＯＤ）６５４ａ〜６５４ｒに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４ａ〜６５４ｒから受信シンボルを取得し、適用可能な場合は受信シンボルに対してＭＩＭＯ検出を実行し、検出シンボルを与え得る。受信プロセッサ６５８は、検出シンボルを処理（たとえば、復調、デインターリーブ、および復号）し、ＵＥ１２０の復号されたデータをデータシンク６６０に与え、復号された制御情報をコントローラ／プロセッサ６８０に与え得る。
【００３６】
アップリンク上では、ＵＥ１２０において、送信プロセッサ６６４は、データソース６６２から（たとえば、ＰＵＳＣＨのための）データを受信し、処理し得、コントローラ／プロセッサ６８０から（たとえば、ＰＵＣＣＨのための）制御情報を受信し、処理し得る。送信プロセッサ６６４はまた、基準信号のための基準シンボルを生成し得る。送信プロセッサ６６４からのシンボルは、適用可能な場合はＴＸ  ＭＩＭＯプロセッサ６６６によってプリコードされ、さらに（たとえば、ＳＣ−ＦＤＭなどのために）復調器６５４ａ〜６５４ｒによって処理され、基地局１１０に送信され得る。基地局１１０において、ＵＥ１２０からのアップリンク信号は、アンテナ６３４によって受信され、変調器６３２によって処理され、適用可能な場合はＭＩＭＯ検出器６３６によって検出され、さらに受信プロセッサ６３８によって処理されて、ＵＥ１２０によって送られた復号されたデータおよび制御情報が取得され得る。受信プロセッサ６３８は、復号されたデータをデータシンク６３９に与え、復号された制御情報をコントローラ／プロセッサ６４０に与え得る。
【００３７】
コントローラ／プロセッサ６４０および６８０は、それぞれ基地局１１０およびＵＥ１２０における動作を指示し得る。基地局１１０におけるプロセッサ６４０および／または他のプロセッサおよびモジュールは、本明細書で説明する技法のための様々なプロセスを実行するかまたはその実行を指示し得る。ＵＥ１２０におけるプロセッサ６８０および／または他のプロセッサならびにモジュールはまた、図４Ａ、図４Ｂ、図５および図６に示された機能ブロック、および／または本明細書で説明する技法のための他のプロセスを実行するかまたはその実行を指示し得る。メモリ６４２および６８２は、それぞれ基地局１１０およびＵＥ１２０のためのデータおよびプログラムコードを記憶し得る。スケジューラ６４４は、ダウンリンクおよび／またはアップリンク上でのデータ送信のためにＵＥをスケジュールし得る。
【００３８】
一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって具陳される機能を実行するように構成される、（１つまたは複数の）プロセッサ、コントローラ／プロセッサ６８０、メモリ６８２、受信プロセッサ６５８、ＭＩＭＯ検出器６５６、復調器６５４ａ、およびアンテナ６５２ａであり得る。別の態様では、上述の手段は、上述の手段によって具陳される機能を実行するように構成されるモジュールまたは任意の装置であり得る。
【００３９】
キャリアアグリゲーション  
ＬＴＥアドバンストＵＥは、各方向への送信のために使用される最高で合計１００Ｍｈｚ（５つのコンポーネントキャリア）のキャリアアグリゲーションにおいて割振られた、最高２０Ｍｈｚ帯域幅のスペクトルを使用する。概して、アップリンク上ではダウンリンクよりも少ないトラフィックが送信され、したがって、アップリンクスペクトル割振りはダウンリンク割振りよりも小さくなり得る。たとえば、アップリンクに２０Ｍｈｚが割り当てられる場合、ダウンリンクに１００Ｍｈｚが割り当てられ得る。これらの非対称ＦＤＤ割り当ては、スペクトルを節約することになり、ブロードバンド加入者による一般に非対称な帯域利用に対してよくフィットする。
【００４０】
キャリアアグリゲーションタイプ  
ＬＴＥアドバンストモバイルシステムのために、２つのタイプのキャリアアグリゲーション（ＣＡ：carrier aggregation）方法、連続ＣＡおよび不連続ＣＡが提案されている。それらは、図４Ａおよび図４Ｂに示される。不連続ＣＡは、複数の利用可能なコンポーネントキャリアが周波数帯域に沿って分離されたときに生じる（図４Ｂ）。他方では、連続ＣＡは、複数の利用可能なコンポーネントキャリアが互いに隣接するときに生じる（図４Ａ）。不連続ＣＡと連続ＣＡの両方は、ＬＴＥアドバンストＵＥの単一ユニットを処理するために複数のＬＴＥ／コンポーネントキャリアをアグリゲートする。
【００４１】
ＬＴＥアドバンストＵＥにおける不連続ＣＡでは、周波数帯域に沿ってキャリアが分離されるので、複数のＲＦ受信ユニットと複数のＦＦＴとが配備され得る。不連続ＣＡは、大きい周波数範囲にわたる複数の分離されたキャリア上でのデータ送信をサポートするので、伝搬パスロス、ドップラーシフトおよび他の無線チャネル特性は、異なる周波数帯域で大いに変わり得る。
【００４２】
したがって、不連続ＣＡアプローチの下でブロードバンドデータ送信をサポートするために、異なるコンポーネントキャリアのためのコーディング、変調、および送信電力を適応的に調整するための方法が使用され得る。たとえば、エンハンスドノードＢ（ｅノードＢ）が各コンポーネントキャリア上に固定送信電力を有するＬＴＥアドバンストシステムでは、各コンポーネントキャリアの有効カバレージまたはサポート可能な変調およびコーディングは異なり得る。
【００４３】
データアグリゲーションスキーム  
図５は、ＩＭＴアドバンスト（IMT-Advanced）システムのために媒体アクセス制御（ＭＡＣ）レイヤ（図５）において異なるコンポーネントキャリアからの送信ブロック（ＴＢ：transmission block）をアグリゲートすることを示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティを有し、物理レイヤ中にそれ自体の送信構成パラメータ（たとえば、送信電力、変調およびコーディングスキーム、ならびに複数のアンテナ構成）を有する。同様に、物理レイヤでは、コンポーネントキャリアごとに１つのＨＡＲＱエンティティが与えられる。
【００４４】
制御シグナリング  
概して、複数のコンポーネントキャリアのための制御チャネルシグナリングを展開するための３つの異なるアプローチがある。第１は、ＬＴＥシステムにおける制御構造の軽微な変更を伴い、各コンポーネントキャリアは、それ自体のコード化制御チャネルを与えられる。
【００４５】
第２の方法は、異なるコンポーネントキャリアの制御チャネルを一緒にコーディングし、専用のコンポーネントキャリア中に制御チャネルを展開することを伴う。複数のコンポーネントキャリアのための制御情報は、この専用制御チャネルにおいてシグナリングコンテンツとして統合されることになる。その結果、ＬＴＥシステムにおける制御チャネル構造との後方互換性が維持されながら、ＣＡのシグナリングオーバーヘッドが低減する。異なるコンポーネントキャリアのための複数の制御チャネルを一緒にコーディングし、次いで、第３のＣＡ方法によって周波数帯域全体にわたって送信される。このアプローチは、制御チャネルにおいて低いシグナリングオーバーヘッドと高い復号性能とを提供するが、ＵＥ側の電力消費量が高くなる。しかしながら、この方法は、ＬＴＥシステムと互換性をもたない。
【００４６】
ハンドオーバ制御  
ＣＡがＩＭＴアドバンストＵＥのために使用される場合、複数のセルにわたるハンドオーバプロシージャ中に送信連続性をサポートすることが好ましい。しかしながら、特定のＣＡ構成およびサービス品質（ＱｏＳ）要件とともに、入来するＵＥのために十分なシステムリソース（すなわち、良好な送信品質をもつコンポーネントキャリア）を確保することが、次のｅノードＢにとって難しいことがある。この理由は、２つ（またはそれ以上）の隣接するセル（ｅノードＢ）のチャネル状態が、特定のＵＥに対して異なり得るからである。１つのアプローチでは、ＵＥは、各隣接セルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が判断され得る。
【００４７】
様々な実施形態に従って、（キャリアアグリゲーションとも呼ばれる）マルチキャリアシステムにおいて動作するＵＥは、「プライマリキャリア」と呼ばれることがある同じキャリア上で、制御機能およびフィードバック機能など、複数のキャリアのいくつかの機能をアグリゲートするように構成される。サポートのためにプライマリキャリアに依存する残りのキャリアは、関連するセカンダリキャリアと呼ばれる。たとえば、ＵＥは、オプションの専用チャネル（ＤＣＨ）、スケジュールされない許可、物理アップリンク制御チャネル（ＰＵＣＣＨ）、および／または物理ダウンリンク制御チャネル（ＰＤＣＣＨ）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００４８】
いくつかの実施形態では、複数のプライマリキャリアが存在し得る。さらに、ＬＴＥ  ＲＲＣプロトコルの３ＧＰＰ技術仕様３６．３３１におけるものなど、レイヤ２プロシージャである物理チャネル確立および無線リンク障害（ＲＬＦ：radio link failure）プロシージャを含む、ＵＥの基本動作に影響を及ぼすことなしに、セカンダリキャリアが追加または削除され得る。
【００４９】
図６に、一例に従って、物理チャネルをグループ化することによって複数キャリアワイヤレス通信システムにおいて無線リンクを制御するための方法６００を示す。図示のように、本方法は、ブロック６０５で、プライマリキャリアと、１つまたは複数の関連するセカンダリキャリアとを形成するために、少なくとも２つのキャリアからの制御機能を１つのキャリア上にアグリゲートすることを含む。次に、ブロック６１０で、プライマリキャリアと各セカンダリキャリアとのための通信リンクを確立する。次いで、ブロック６１５で、プライマリキャリアに基づいて通信を制御する。
【００５０】
ｅ−ＰＤＣＣＨのための送信構造  
ある態様に従って、エンハンスド物理リンク制御チャネル（ｅ−ＰＤＣＣＨ）は、いくつかのアドバンスド記述をサポートする一方、ユーザ機器（ＵＥ）またはＵＥのグループのためのリソース割り当ておよび他の制御情報を搬送することが提案される多くの動機がｅ−ＰＤＣＣＨのために存在する。たとえば、ｅ−ＰＤＣＣＨは、キャリアアグリゲーション強化を改善し、後方互換性がないことがある新しいキャリアをサポートするのを助け、多地点協調（ＣｏＭＰ：coordinated multipoint）送信の制御チャネル容量制限を低減し、ＤＬ  ＭＩＭＯを強化し得る。  本開示の態様に従って、ｅ−ＰＤＣＣＨは、制御チャネル容量の増加と周波数領域セル間干渉協調（ＩＣＩＣ：Inter Cell Interference Coordination）とをサポートし得る。ｅ−ＰＤＣＣＨは、制御チャネルリソースの空間再利用の改善を達成し得る。同様に、ｅ−ＰＤＣＣＨは、ビームフォーミングおよび／またはダイバーシティをサポートし、新しいキャリアタイプで、およびマルチメディア−ブロードキャスト単一周波数ネットワーク（ＭＢＳＦＮ：Multimedia-Broadcast Single Frequency Network）サブフレーム中で動作し、レガシーＵＥと同じキャリア上に共存し得る。ｅ−ＰＤＣＣＨは、周波数選択的な方法でスケジュールされ得、セル間干渉を緩和し得る。
【００５１】
図７に、本開示の態様に従う、ｅ−ＰＤＣＣＨのための可能な構造７００を示す。以下でより詳細に説明するように、本明細書で提示する態様は、Ｒ−ＰＤＣＣＨと同様の配置と、ピュア−ＦＤＭスキームと、ＴＤＭスキームと、Ｒ−ＰＤＣＣＨと同様の配置と、ハイブリッドＴＤＭおよびＦＤＭスキームとを含む、ｅ−ＰＤＣＣＨ配置のための様々なスキームを与える。示されるように、「レガシー」ＰＤＣＣＨと異なり、ｅ−ＰＤＣＣＨは、ＰＤＳＣＨのために利用可能なリソースに及び得る。
【００５２】
第１の代替７０２に従って、ｅ−ＰＤＣＣＨは、Ｒ−ＰＤＣＣＨの送信と同様に送信され得る。ここで、ＤＬ許可は、第１のスロット中で送信され、ＵＬ許可は、第２のスロット中で送信され得る。態様に従って、第２のスロットがアップリンク許可の送信のために使用されていない場合、第２のスロットは、ダウンリンクデータ送信のために使用され得る。
【００５３】
第２の代替７０４に従って、ｅ−ＰＤＣＣＨは、ＤＬ許可とＵＬ許可とがリソースブロックに及ぶ、ピュアＦＤＭスキームで送信され得る。図示のように、周波数領域中のリソースのセットは、第１のタイムスロットと第２のタイムスロットとを備える時間領域にわたるｅ−ＰＤＣＣＨの送信のために割振られる。いくつかの態様に従って、周波数領域中でＰＤＳＣＨと多重化されたＲＢのサブセットは、第１のタイムスロットと第２のタイムスロットとにわたるアップリンク許可とダウンリンク許可の両方を含むｅ−ＰＤＣＣＨを送信するために割振られる。
【００５４】
第３の代替７０６に従って、ｅ−ＰＤＣＣＨは、ＤＬ許可とＵＬ許可とが第１のスロット中で送信される、ＴＤＭスキームに従って第１のスロット中で送信され得る。図示のように、残りのＲＢは、ＰＤＳＣＨデータ送信を送信するために利用され得る。
【００５５】
第４の代替７０８に従って、ｅ−ＰＤＣＣＨは、Ｒ−ＰＤＣＣＨと同様の方法で送信され得る。ここで、ＤＬ許可とＵＬ許可とは、第１のスロット中で送信され、ＵＬ許可は、第２のスロット中で送信され得る、いくつかの態様に従って、ＤＬ許可が所与のＰＲＢペアの第１のＰＲＢ中で送信される場合、ＵＬ許可は、ＰＲＢペアの第２のＰＲＢ中で送信され得る。そうでない場合、ＵＬ許可は、ＰＲＢペアの第１のＰＲＢまたは第２のＰＲＢのいずれかの中で送信され得る。  第５の代替７１０に従って、ｅ−ＰＤＣＣＨは、第１のスロット中でＤＬ許可のためにＴＤＭを使用し、第１のスロットと第２のスロットとに及ぶＵＬ許可のためにＦＤＭを使用して送信され得る。
【００５６】
ｅ−ＰＤＣＣＨのためのリソース管理  
本開示のある態様は、エンハンスドＰＤＣＣＨ（ｅ−ＰＤＣＣＨ）送信のために利用される時間および周波数リソースのセットを管理するための技術を提供する。ある態様に従って、基地局は、ｅ−ＰＤＣＣＨ送信に割振られた時間および周波数リソースのセットをシグナルし得る。このシグナリングに基づいて、ＵＥは、所与のサブフレーム中のエンハンスドＰＤＣＣＨのためにモニタするか否かの決定を行い得る。
【００５７】
ある態様に従って、基地局は、ＵＥまたはＵＥのグループのためのリソース割り当ておよび他の制御情報を送信するためにｅ−ＰＤＣＣＨを利用し得る。ある態様に従って、ＵＥは、ｅ−ＰＤＣＣＨのためのリソースのプールを利用するために、無線通信リソース制御（ＲＲＣ）を介して構成され得る。ｅ−ＰＤＣＣＨのための専用シグナリングは、周波数−選択のｅ−ＰＤＣＣＨ配置、ＦＤＭ異種ネットワークおよび他の機能を有利に生かし得る。
【００５８】
ある態様に従って、ブロードキャストシグナリングは、ｅ−ＰＤＣＣＨのために意図した使用がレガシーＰＤＣＣＨを補完するまたは置換するかどうかに基づいてＵＥのグループに対するリソース割振りに利用され得る。セルの観点から、「グリーン−フィールド（green-field）」配備を除いて、セルに接続されたレガシーＵＥがあり得る。個々のＵＥの観点から、探索空間の設計に依存して、ＵＥ固有の探索空間を置換することが可能であり得るが、共通探索空間を置換できそうもない。
【００５９】
ある態様に従って、エンハンスド物理制御フォーマットインジケータチャネル（ｅ−ＰＣＦＩＣＨ）は、各サブフレーム中のエンハンスド制御チャネル情報の送信のために使用されたシンボルのナンバーを示すために利用され得る。ｅ−ＰＣＦＩＣＨは、リソース柔軟性を有利に提供し、ｅ−ＰＤＣＣＨがより少数のシンボルを要求し得る場合のシナリオにおいて浪費するリソースを有利に低減する。そのように、ｅ−ＰＣＦＩＣＨは、予約されるが使用されないｅ−ＰＤＣＣＨリソースがＰＤＳＣＨのために容易に再利用することができるかどうかにより有用になり得ることに留意されたい。
【００６０】
ある態様に従って、ｅ−ＰＤＣＣＨに基づくピュアＦＤＭに対して、以上で記述されるように、ｅ−ＰＣＦＩＣＨは、省略され得る。これは、任意の未使用ｅ−ＰＤＣＣＨリソースがタイプ０、タイプ１、および局在タイプ２のリソース割り当てを使用して、並びに分散タイプ２のリソース割り当てに部分的によってＰＤＳＣＨが容易に再利用され得るので、可能になり得る。
【００６１】
ある態様に従って、（例えば、すべてのｅ−ＰＤＣＣＨは、第１の時間スロット中で送信され、以上で記述された、分離ＦＤＭアプローチまたはピュアＴＤＭアプローチと同様な）ｅ−ＰＤＣＣＨに基づくＴＤＭに対して、未使用ｅ−ＰＤＣＣＨリソースは、ＰＤＳＣＨによって同様に再利用され得る。例えば、ｅ−ＰＤＣＣＨのために使用される同じＰＲＢペアのうちの第１のＰＲＢに対応する第２のＰＲＢは、ＰＤＳＣＨが第２のＰＲＢに割り当てられる場合に、同じＵＥのＰＤＳＣＨのために使用されることができる。ＰＤＳＣＨのためのポートインデックスがない場合、または明示的に示されるポートがない場合、ＰＤＳＣＨは、ｅ−ＰＤＣＣＨと同じ（またはデフォルト）ポートを使用し得ることに留意されたい。
【００６２】
ある態様に従って、ｅ−ＰＤＣＣＨを送信するために割振られたリソースは、ＰＤＳＣＨのために定義されたリソース割振りタイプに基づき得る。１つの態様では、ｅ−ＰＤＣＣＨのために割振られるリソースブロックグループ（ＲＢＧ）を示すためにビットマップを使用する、リソース割振りタイプ０が利用され得る。リソース割振りタイプ１が利用されうる。ここで、個別ＰＲＢが利用可能なＰＲＢのサブセット内の割振りのためにアドレスされることができる。ある態様に従って、局在および分散リソース割振りは、ｅ−ＰＤＣＣＨのために許容され得る。
【００６３】
ある態様に従って、ＴＤＭスキームは、ＵＬおよびＤＬ許可の両方、またはＤＬ許可のみのために利用され得る。ＴＤＭスキームが分散リソース割振りを利用する場合には、ＴＤＭスキームは、サブフレームの第１スロットだけを利用することがある。ある態様に従って、ＦＤＭスキームは、ＤＬ許可およびＵＬ許可の両方のためまたはＵＬ許可のために利用され得る。ある態様に従って、任意のスキーム（例えば、ＴＤＭ、ＦＤＭ）のために、１ＲＢ解像度を有するビットマップは、リソース割振りのためにより柔軟な技術を提供するために利用され得る。１つの態様では、ビットマップは、ＲＲＣシグナリングのために１００ビットまで有し得る。
【００６４】
ある態様に従って、リソース割振りは、ＤＬおよびＵＬ許可の両方のためのリソースの１つのセットを包含し得る。代替として、リソース割振りは、ｅ−ＰＤＣＣＨ構造およびインターリービングタイプに依存して、それぞれＤＬおよびＵＬ許可のためのリソースの２つの個別のセットを包含し得る。例えば、送信は、ｅ−ＰＤＣＣＨインターリービングに基づいてリソース要素グループ（ＲＥＧ）のための２つの個別セットを利用するＴＤＭ  ＤＬ許可およびＦＤＭ  ＵＬ許可を有するハイブリッドスキームを利用し得る。別の例において、ＲＥＧベースのｅ−ＰＤＣＣＨインターリービングは、割振られたリソースの２つの個別のセットを利用し得る。
【００６５】
ある態様に従って、リソース割振りは、すべてのアグリゲーションレベルのための１つのセットになることができる；代替として、リソース割振りは、各アグリゲーションレベルのために個別に構成されることができる。ある態様に従って、リソース割振りは、共通の探索空間およびＵＥ固有の探索空間のための１つのセットになることができる；代替として、リソース割振りは、共通およびＵＥ固有の探索空間のために構成されることができる。
【００６６】
ある態様に従って、ＵＥ固有の探索空間のためのリソース割振りは、ＵＥ固有であり得る。さらに、異なるＵＥは、異なるリソース割振りタイプ（例えば、タイプ０、タイプ１など）を有し得る。そのようなものとして、ある態様に従って、セルにおいて、２つ以上のリソース割振りタイプは、基地局によって構成され、取り扱われるときに、同じサブフレーム内に存在し得る。
【００６７】
ある態様に従って、ＰＲＢバンドリングが利用され得る。ここで、同じプリコードは、２つ以上のＰＲＢ（プリコーディングＲＢグループまたは「ＰＲＢ」と称される）がｅ−ＰＤＣＣＨによってサポートされるために適用される。例えば、１０リソースブロック（ＲＢ）以下のグルーピングに対して、ＰＲＧは、１つの物理ＲＢのサイズを有し得る。１１から２６ＲＢまでのグルーピングに対して、ＰＲＧは、２ＰＲＢのサイズを有し得る；２７から６３までのＲＢのグルーピングに対して、ＰＲＧサイズは、３ＰＲＢであり得る；６４から１１０までのＲＢのグルーピングに対して、ＰＲＧサイズは、２ＰＲＢであり得る。ある態様に従って、ｅ−ＰＤＣＣＨのためのリソース割振りは、ＰＲＧファクタ（例えば、ＰＲＧサイズ）を考慮に入れ得る。
【００６８】
ｅ−ＰＤＣＣＨのための時間領域に関して、特定の設計に依存して、すべてのサブフレームは、ｅ−ＰＤＣＣＨを含みうる、または、ｅ−ＰＤＣＣＨは、各サブフレーム中に選択的に含まれ得る。いくつかの異種ネットワーク（時には「ＨｅｔＮｅｔ」と称される）では、ｅ−ＰＤＣＣＨを有するサブフレームのサブセットは、ピコセルにおけるセル範囲拡大（ＣＲＥ：cell range expansnion）ＵＥのために非オールモストブランクサブフレーム（「ＡＢＳ」（non-Almost Blank Sub-frames））のサブセットにアラインされ得る。
【００６９】
しかしながら、ある態様に従って、一旦ｅ−ＰＤＣＣＨがセルのために構成されると、ｅ−ＰＤＣＣＨは、すべてのサブフレームに適用可能になり得る。さらに、各サブフレームの制御領域の粒度は、レガシーＰＤＣＣＨを使用することがｅ−ＰＤＣＣＨと比較してより良いオーバーヘッド効率になるようになり得る。例えば、サブフレームの制御領域が３シンボル長（例えば拡張ＰＨＩＣＨ）である場合、レガシーＰＤＣＣＨのためのルームがある。別の例において、図７の７０６で示されるようなＦＤＭスキームの下では、３つの制御シンボルがレガシーＰＤＣＣＨ中に構成されたとしても、ｅ−ＰＤＣＣＨは、必要とされうる。
【００７０】
様々な要因は、ＰＤＣＣＨによってスケジュールされたＰＤＳＣＨと比較される場合、ｅ−ＰＤＣＣＨによってスケジュールされたＰＤＳＣＨの効率に影響し得る。そのような効率は、例えば、半静的であるＰＤＳＣＨのためのスターティングシンボルシンボルインデックス（starting symbol index）、および、ＰＤＳＣＨのための（以上のＴＤＭ  ｅ−ＰＤＣＣＨにおいてみられるように）第２のタイムスロットを使用することの性能を含むがこれらに限定されない、様々な要因によって影響され得る。ある場合には、第２のタイムスロットを使用するリソースの重要な一部を有するＰＤＳＣＨの（トランスポートブロックサイズルックアップによる）リンク適応は、同じトランスポートブロックサイズルックアップ設計が使用される場合のみ危険にさらされ得る。ある態様に従って、ｅ−ＰＤＣＣＨの欠如は、ＵＥが実行しなくてはならないブラインド復号のナンバーの低減とスケジューリング柔軟性への影響をバランスすることにつながり得る。さらに、ｅ−ＰＤＣＣＨの欠如は、特に低価格デバイスのための、バッテリー電力を節約する助けになり得る。
【００７１】
ある態様に従って、サブフレーム依存のｅ−ＰＤＣＣＨは、サブフレームがｅ−ＰＤＣＣＨを含み、ＵＥのためであることを示すビットマップパターンを使用することが利用され得る。同様のビットマップパターン技術は、ＡＢＳ（例えば、ＦＤＤのための４０ビットのビットマップ）内で利用され得る。ある態様に従って、ｅ−ＰＤＣＣＨを可能にすることは、例えば、いくつかまたはすべてのサブフレーム中のＵＥ固有の探索空間ではなく、あるサブフレーム中のｅ−ＰＤＣＣＨのための共通探索空間を許容することのみによって、探索空間レベルでさらに影響を有し得る。ある態様に従って、１つの構成は、共通探索空間に対して専用で利用される、または１つの構成が共通空間のためであり、別の構成がＵＥ固有探索空間のためである、２つの個別の構成が利用される。同様に、レガシーＰＤＣＣＨに対して、ＵＥは、サブフレームのサブセットのみをモニタし続け、ｅ−ＰＤＣＣＨのために構成されたこれらのサブフレームを潜在的に補完するように構成され得る。
【００７２】
ある態様に従って、サブフレーム依存の構成は、ＵＥ固有であり得る。例えば、構成は、ｅ−ＰＤＣＣＨが特定のＵＥに対して利用可能ではないことを示すことがあるが、他のＵＥのためのｅ−ＰＤＣＣＨを含むことを示し得る。別の態様では、サブフレーム依存の構成は、例えば、ｅ−ＰＤＣＣＨがすべてのＵＥに対して利用可能ではない構成によっても、同様にセル固有であり得る。
【００７３】
図８は、開示のある態様に従うダウンリンク制御チャネルのためのサブフレーム依存構成のいくつかの例示を説明する。「ケース１」、「ケース２」、および「ケース３」として識別される例示は、レガシーＰＤＣＣＨを有するレガシーキャリアで利用されるサブフレーム依存構成の例示を提供する。「ケース４」および「ケース５」として識別される例示は、レガシーキャリアと後方互換性がない、またはレガシー制御領域を搬送する必要がない新規のキャリアタイプに適用可能なサブフレーム依存制御チャネルの例示を提供する。
【００７４】
ある態様に従って、ケース１は、サブフレーム依存のｅ−ＰＤＣＣＨ構成を示す。ここで、レガシーＰＤＣＣＨは、すべてのサブフレーム上で送信され、ｅ−ＰＤＣＣＨは、選択サブフレーム中でのみ送信される（例えば、ｅ−ＰＤＣＣＨは、外側２つのサブフレームのみで送信されるように示される）。ケース２は、サブフレーム依存のＰＤＣＣＨ構成を示す。ここで、ｅ−ＰＤＣＣＨは、すべてのサブフレーム中で送信されるが、レガシーＰＤＣＣＨは、サブフレームのサブセットのみで送信される（例えば、レガシーＰＤＣＣＨは、中央サブフレーム中でのみ送信されるように示される）。ケース３は、サブフレーム依存のＰＤＣＣＨ構成およびｅ−ＰＤＣＣＨを示す（非サブフレーム依存のケースが示されていないことに注意）。ここで、レガシーＰＤＤＣＨおよびｅ−ＰＤＣＣＨは、すべてのサブフレーム中に混ぜられる（例えば、ｅ−ＰＤＣＣＨは、外側２つのみで送信されるように示され、レガシーＰＤＣＣＨは、中央サブフレームでのみ送信されるように示される）。
【００７５】
ある態様に従って、ケース４は、非サブフレーム依存のｅ−ＰＤＣＣＨ構成を示す。ここで、すべてのサブフレームは、ｅ−ＰＤＣＣＨを送信し、レガシーＰＤＣＣＨを送信し得ない。ケース５は、サブフレーム依存のｅ−ＰＤＣＣＨ構成を示す。ここで、ｅ−ＰＤＣＣＨは、必ずしもサブフレーム中に存在するとは限らない。このアプローチは、多くのブラインド復号を実行し、制御チャネルのために常にすべてのサブフレームをモニタするＵＥのためのローカルコストを考慮する。従って、このアプローチは、有利に、より良い電力消費を提供し、ＵＥのバッテリー寿命を改善する。以上のサブフレーム依存のｅ−ＰＤＣＣＨ構成がＲＲＣ構成およびシグナリングを介してＵＥに示されることに注意されたい。
【００７６】
本開示のある態様に従って、ｅ−ＰＤＣＣＨのためのサブフレーム中で開始し終了するシンボルは、様々なアプローチおよび構成を使用して構成され得る。ある態様に従って、固有ＵＥにアドレスされるユニキャストｅ−ＰＤＣＣＨに対して、固有ＵＥのためのｅ−ＰＤＣＣＨのスターティングシンボルは、ＲＲＣ構成であり得る。１つの態様では、スターティングシンボルは、０、１、２、３、または４のインデックスを有し得る。シンボルインデックス０が新規のキャリアタイプをカバーするように構成されることに注意されたい。シンボルインデックス４は、低価格ＵＥのために特に適切である、小さい帯域幅シナリオをカバーするように構成される。
【００７７】
ある態様に従って、すべてのＵＥにアドレスされる、ブロードキャストｅ−ＰＤＣＣＨのためのスターティングシンボルは、あらかじめ決定される（つまりハードコード化される）または構成によって決定され得る。ある態様に従って、ブロードキャストｅ−ＰＤＣＣＨ構成は、ユニキャストｅ−ＰＤＣＣＨのための構成と分離し得る。１つの実装では、ブロードキャストｅ−ＰＤＣＣＨのためのスターティングシンボルインデックスは、サブフレームまたは時間領域の４番目のシンボルからスタートするようにハードコード化され得る。１つの態様では、同じスターティングシンボルインデックスがすべてのＵＥのために構成されることを基地局が保証するように、ブロードキャストｅ−ＰＤＣＣＨのためのスターティングシンボルインデックスは、専用シグナリングを介してＵＥで構成され得る。スターティングシンボルインデックスが、ブロードキャストチャネル（ＰＢＣＨ）において追加ビットを利用するであろう、ＰＢＣＨのような、ブロードキャストチャネルを介してブロードキャストされ得る。しかしながら、ＵＥがＨｅｔＮｅｔｓ中のＰＢＣＨを復号することができないことが考慮される。ユニキャストｅ−ＰＤＣＣＨのためのスターティングシンボル構成は、個別のＵＥのために最適化される一方、ブロードキャスト（またはマルチキャスト）ｅ−ＰＤＣＣＨのためのスターティングシンボル構成は、様々なＵＥにわたるタイミング遅延および他のコンセンサス問題を受け入れるためによりコンサバティブになり得る。
【００７８】
ある態様に従って、スターティングシンボルの構成は、サブフレーム依存であり得る。例えば、ＭＢＳＦＮサブフレームが２のインデックスを有する一方、非ＭＢＳＦＮサブフレームのためのスターティングシンボルインデックスは、３のインデックスを有するように構成され得る。別の例示では、ＡＢＳおよび非ＡＢＳサブフレームは、２つのタイプのサブフレームにおいて制御オーバーヘッドの異なる予測により、ｅ−ＰＤＣＣＨための異なるスターティングシンボルを有するように構成され得る。
【００７９】
ある態様に従って、以上で記述されるようなＴＤＭスキームを使用するｅ−ＰＤＣＣＨのためのエンディングシンボルは、ダウンリンク許可とアップリンク許可との間で分割されたより良い管理能力が構成される。ある態様に従って、エンディングシンボルインデックスは、ダウンリンク送信の早期の復号の必要を考慮するために、ある限度（つまり上限）内で形成され得る。
【００８０】
ある態様に従って、ｅ−ＰＤＣＣＨによってスケジュールされるダウンリンクデータチャネル（つまりＰＤＳＣＨ）のためのスターティングシンボルは、様々な技術を使用してＵＥによって決定され得る。記述された様々なアプローチは、さらにサブフレーム内のｅ−ＰＤＣＣＨそれ自身のためのスターティングシンボルを決定するために使用され得ることに注意されたい。
【００８１】
第１のアプローチでは、ｅ−ＰＤＣＣＨを介してスケジュールされるＰＤＳＣＨは、ＰＣＦＩＣＨの検出に基づいて導出されるスターティングシンボルを有し得る。例えば、ＵＥが所与のダウンリンク送信におけるＰＣＦＩＣＨを復号することができる場合、ＵＥは、ｅ−ＰＤＣＣＨを介してスケジュールされるＰＤＳＣＨがＰＣＦＩＣＨ領域の直後に開始することを決定し得る。同様に、ＵＥがｅ−ＰＤＣＣＨのために割振られたリソースを有するサブフレーム中のＰＣＦＩＣＨを復号することができる場合、ＵＥは、ｅ−ＰＤＣＣＨがＰＣＦＩＣＨ領域の直後の１つまたは複数のシンボル中で開始することを決定し得る。
【００８２】
いくつかの新規のキャリアタイプのような、ＰＣＦＩＣＨがないシナリオでは、その後、スターティングシンボルは、シンボル０から基づき得る。このアプローチは、ダウンリンクＭＩＭＯおよびＣｏＭＰのような当該例示のシナリオにおいて利用され得る。
【００８３】
第２のアプローチでは、ｅ−ＰＤＣＣＨを介してスケジュールされるＰＤＳＣＨのためのサブフレーム中のスターティングシンボルは、ＲＲＣシグナリングを介して構成され得る。同様のＲＲＣ構成技術は、キャリアアグリゲーションにおけるクロスキャリアスケジュールされたＰＤＳＣＨ中で利用され得る。
【００８４】
第３のアプローチでは、ｅ−ＰＤＣＣＨを介してスケジュールされるＰＤＳＣＨのためのサブフレーム中のスターティングシンボルは、制御情報を使用して動的に示され得る。例えば、スターティングシンボルは、ｅ−ＰＤＣＣＨ許可の一部として、またはＰＤＣＣＨ中のペイロードに基づいて動的に決定され得る。ここに記述された動的なアプローチが十分に柔軟なリソース利用を提供することに注意されたい。
【００８５】
ある態様に従って、ｅ−ＰＤＣＣＨを介してスケジュールされるＰＤＳＣＨのためのサブフレーム中のスターティングシンボルは、ｅ−ＰＤＣＣＨのためのスターティングシンボルインデックスに基づいて決定され得る（例えば、スターティングシンボルインデックスとインタラクトする）。１つの態様では、ｅ−ＰＤＣＣＨのためのスターティングシンボルインデックスは、ＰＤＳＣＨのためのスターティングシンボルに対する上限として役立ち得る。例えば、ｅ−ＰＤＣＣＨのためのスターティングシンボルインデックスが０である場合、ＰＤＳＣＨは、０のインデックスから常に開始し得る。別の例示では、ｅ−ＰＤＣＣＨのためのスターティングシンボルインデックスが１である場合、ＰＤＳＣＨのためのスターティングシンボルインデックスは、０または１であり、ｅ−ＰＤＣＣＨが２のインデックスで開始する場合、ＰＤＳＣＨは、０、１、または２などであることができる。ｅ−ＰＤＣＣＨのためのスターティングシンボルが以上でさらに記述されるように一般的に半静的に構成されるので、ｅ−ＰＤＣＣＨのためのスターティングシンボルは、（以上で記述されるように、動的に示され得る）ＰＤＳＣＨより少ない時間分散を有し得ることに留意されたい。そのため、ある意味では、ｅ−ＰＤＣＣＨは、ＰＤＳＣＨのスタートシンボルより遅いスターティングシンボルを有するように見え得る。ある態様に従って、サブフレーム中のいくつかの早期のシンボルがＰＤＳＣＨのためのヌルシンボル（例えば干渉推定）として使用され得るように、ｅ−ＰＤＣＣＨのためのスターティングシンボルインデックスは、ＰＤＳＣＨのスターティングシンボルより小さくなり得る。
【００８６】
ある態様に従って、ＵＥは、ｅ−ＰＤＣＣＨによってスケジュールされるＰＤＳＣＨ、またはｅ−ＰＤＣＣＨそれ自身のためのスターティングシンボルの決定のために２つ以上のモードのうちの１つで動作するＲＲＣを介して構成され得る。１つの態様では、ＵＥは、受信ＰＣＦＩＣＨに基づいて第１のアプローチを単に利用するスターティングシンボルを決定するように構成され得る。別の態様では、ＵＥは、（検出されたＰＣＦＩＣＨに基づいて）第１のアプローチを使用してスターティングシンボルを決定するために最初に試みるように構成され、ＵＥがＰＣＦＩＣＨを処理することができなければ、以上で記述されるように、ＲＲＣシグナリングに基づく第２のアプローチまたは動的インジケーションに基づく第３のアプローチをさらに利用するように構成される。
【００８７】
図９は、ｅ−ＰＤＣＣＨによってスケジュールされるＰＤＳＣＨ、またはｅ−ＰＤＣＣＨそれ自身のためのスターティングシンボルインデックスを決定するために特定のシナリオを示す。図９がＴＤＭスキームを示すが、ここに記述されるある態様は、以上で記述されるように、（ＦＤＭのような）他のｅ−ＰＤＣＣＨスキームに拡張され得ることを諒解されたい。このシナリオでは、ｅ−ＰＤＣＣＨのスターティングシンボルが「ｘ」として表示され、対応するＰＤＳＣＨのスターティングシンボルは、「ｙ」として表示されると仮定する。ここで、ｘ＞ｙである。ｅ−ＰＤＣＣＨおよび割り当てられたＰＤＳＣＨがサブフレーム内でオーバーラップする場合、ｅ−ＰＤＣＣＨによって占められるＰＲＢにおけるシンボル｛ｙ，ｙ＋１，．．．，ｘ−１｝は、ＰＤＳＣＨのために利用され得る。
【００８８】
１つの特定の例示では、図９で示されるように、ｅ−ＰＤＣＣＨがサブフレームの４番目のシンボルで開始し、ＰＤＳＣＨがインデックス０でより早期のスターティングシンボルを有する場合、ｅ−ＤＰＣＣＨのために割振られたリソースとのオーバーラップがあるように、ＰＤＳＣＨは、スケジュールされ得る。示された例示では、ＰＤＳＣＨは、ｅ−ＰＤＣＣＨの後の第２のスロット中で送信するためにさらにスケジュールされる。そのように、そうでなければ利用されないこれらのリソースを浪費することから防ぐために４番目のシンボルでのｅ−ＰＤＣＣＨより早期にスターティングシンボルを利用するよう考慮されている。
【００８９】
図１０は、開示のある態様に従って、ＵＥによって実行され得るダウンリンク制御チャネルのために割振られたリソースを決定するための例示の動作１０００を示すブロック図である。動作１０００は、例えば、図３に示されるＵＥ  １２０の制御器／プロセッサ６８０によって実行され得る。
【００９０】
動作１０００は、１００２で、ＵＥがエンハンスド物理リンク制御チャネル（ＰＤＣＣＨ）に割振られた１つまたは複数のサブフレーム中の時間および周波数リソースのセットを示すシグナリングを受信することで始まる。１００４で、ＵＥは、サブフレーム中のダウンリンク送信を受信する。１００６で、ＵＥは、シグナリングに基づいてサブフレーム中のエンハンスドＰＤＣＣＨのためにモニタする決定を行い、１００８で、ＵＥは、決定に応じて、サブフレーム中の時間および周波数リソースのセットを使用して送信されたエンハンスドＰＤＣＣＨを復号する。
【００９１】
図１１は、開示のある態様に従って、基地局によって実行され得るダウンリンク制御チャネルのために割振られたリソースを決定する例示の動作１１００を示すブロック図である。動作１１００は、例えば、図３において示されるアクセス端末１１０（または基地局）の制御器／プロセッサ６４０によって実行され得る。
【００９２】
動作１１００は、１１０２で、基地局が、ユーザ機器（ＵＥ）に、エンハンスド物理リンク制御チャネル（ＰＤＣＣＨ）に割振られた１つまたは複数のサブフレーム中の時間および周波数リソースのセットを示すシグナリングを送信することで始まる。１１０４で、基地局は、サブフレーム中のエンハンスドＰＤＣＣＨを送信する決定を行い、１１０６で、基地局は、決定に応じて、サブフレーム中の時間および周波数リソースのセットを使用してエンハンスドＰＤＣＣＨを送信する。
【００９３】
ある態様に従って、ＵＥは、エンハンスドＰＤＣＣＨのためにモニタするサブフレームのサブセットを示す構成を提供するメッセージを受信し得る。
【００９４】
１つの態様では、リソースのセットは、局在リソース割振りを有する。ここで、サブフレームの前半中のエンハンスドＰＤＣＣＨに割振られたサブリソースは、エンハンスドＰＤＣＣＨに割振られたサブフレームの後半中のリソースとペアを組み得る。別の態様では、リソースのセットは、分散リソース割振りを有する。ここで、リソースのセットは、不連続リソースブロック中に割振られ得る。１つの態様では、エンハンスドＰＤＣＣＨに割振られたリソースのセットは、物理リソースブロック（ＰＲＢ）ペアを備えるユニットに配置され得る。エンハンスドＰＤＣＣＨに割振られたリソースのセットは、物理リソースブロック（ＰＲＢ）ペアの一部分に配置され得る。１つの態様では、エンハンスドＰＤＣＣＨに割振られたリソースは、各アグリゲーションレベルのために個別に構成される。さらに、エンハンスドＰＤＣＣＨに割振られたリソースのセットは、アップリンク許可およびダウンリンク許可のために個別に構成され得る。
【００９５】
ある態様に従って、制御フォーマットインジケータチャネルを検出することに応答して、ＵＥは、制御フォーマットインジケータチャネルに基づいてサブフレーム中のエンハンスドＰＤＣＣＨのためのリソースのセットのスターティングシンボルを決定し得る。制御フォーマットインジケータチャネルを検出しないことに応答して、ＵＥは、無線リソース制御（ＲＲＣ）構成に基づいてエンハンスドＰＤＣＣＨのためのリソースのセットのスターティングシンボルを決定し得る。
【００９６】
ある態様に従って、ＵＥは、上限としてエンハンスドＰＤＣＣＨのスターティングシンボルインデックスを利用することによって、ダウンリンクデータチャネルのためのスターティングシンボルを決定し得る。１つの態様では、ＵＥは、エンハンスドＰＤＣＣＨのスターティングシンボルがＰＤＳＣＨのスターティングシンボルより遅いものであることを決定し得る。さらに、ＵＥは、ＰＤＳＣＨに割振られているようなエンハンスドＰＤＣＣＨより前のシンボルのサブセットを決定し得る。
【００９７】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９８】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００９９】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１００】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１０１】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【０１０２】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変
形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
[Ｃ１]
ユーザ機器（ＵＥ）がワイヤレス通信するための方法であって、
エンハンスド物理リンク制御チャネル（ＰＤＣＣＨ）に割振られた１つまたは複数のサブフレーム中の時間および周波数リソースのセットを示すシグナリングを受信することと、
サブフレーム中のダウンリンク送信を受信することと、
前記シグナリングに基づいて前記サブフレーム中の前記エンハンスドＰＤＣＣＨのためにモニタする決定を行うことと、
前記決定に応じて、前記サブフレーム中の前記時間および周波数リソースのセットを使用して送信された前記エンハンスドＰＤＣＣＨを復号することと
を備える、方法。
[Ｃ２]
前記リソースのセットは、物理ダウンリンク共有チャネル（ＰＤＳＣＨ）のためにさらに使用される領域に及ぶ、
Ｃ１に記載の方法。
[Ｃ３]
前記リソースのセットは、局在リソース割振りを有し、前記サブフレームの前半中の前記エンハンスドＰＤＣＣＨのために割振られたリソースは、前記エンハンスドＰＤＣＣＨのために割振られた前記サブフレームの後半中のリソースとペアを組む、
Ｃ１に記載の方法。
[Ｃ４]
前記リソースのセットは、分散リソース不連続リソース割振りを有し、前記リソースのセットは、不連続リソースブロックに割振られる、
Ｃ１に記載の方法。
[Ｃ５]
前記エンハンスドＰＤＣＣＨのために割振られる前記リソースのセットは、物理リソースブロック（ＰＲＢ）ペアを備えるユニット中に配置される、
Ｃ１に記載の方法。
[Ｃ６]
リソースの少なくとも２つセットは、前記エンハンスドＰＤＣＣＨのために構成される、
Ｃ１に記載の方法。
[Ｃ７]
前記エンハンスドＰＤＣＣＨのためにモニタするサブフレームのサブセットを示す構成を提供するメッセージを受信することをさらに備える、
Ｃ１に記載の方法。
[Ｃ８]
前記メッセージは、ユニキャストメッセージおよびブロードキャストメッセージのうちの１つであり、前記構成は、ビットマップを介して前記サブフレームのサブセットを示す、
Ｃ７に記載の方法。
[Ｃ９]
前記サブフレーム中の前記エンハンスドＰＤＣＣＨをモニタしないように決定が行われる場合、サブフレーム中のレガシーＰＤＣＣＨをモニタすることをさらに備える、Ｃ１に記載の方法。
[Ｃ１０]
すべてのサブフレーム中の前記エンハンスドＰＤＣＣＨをモニタする決定を行うことを備える、
Ｃ１に記載の方法。
[Ｃ１１]
前記サブフレーム中の前記エンハンスドＰＤＣＣＨをモニタすることは、前記ＵＥに固有の探索空間をモニタすることを備える、
Ｃ１に記載の方法。
[Ｃ１２]
制御フォーマットインジケータチャネルを検出することに応じて、前記制御フォーマットインジケータチャネルに基づいてサブフレーム中の前記エンハンスドＰＤＣＣＨのための前記リソースのセットのスターティングシンボルを決定することをさらに備える、Ｃ１に記載の方法。
[Ｃ１３]
制御フォーマットインジケータチャネルを検出しないことに応じて、無線通信リソース制御（ＲＲＣ）構成に基づいて前記エンハンスドＰＤＣＣＨのための前記リソースのセットのスターティングシンボルを決定することをさらに備える、
Ｃ１に記載の方法。
[Ｃ１４]
第１のサブフレーム中の第１のスターティングシンボルを決定することと、第２のサブフレーム中の前記第１のスターティングシンボルと異なる、第２のスターティングシンボルを決定することと
をさらに備えるＣ１３に記載の方法。
[Ｃ１５]
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
Ｃ１４に記載の方法。
[Ｃ１６]
サブフレーム中のユニキャストに対する前記エンハンスドＰＤＣＣＨのための前記リソースのセットの第１のスターティングシンボルを決定することと、同じサブフレーム中のブロードキャストまたはマルチキャストに対する前記エンハンスドＰＤＣＣＨのためのリソースのセットの、前記第１のスターティングシンボルと異なる、第２のスターティングシンボルを決定することと
をさらに備える、Ｃ１に記載の方法。
[Ｃ１７]
前記エンハンスドＰＤＣＣＨのスターティングシンボルを利用することによって物理ダウンリンクデータ共有チャネル（ＰＤＳＣＨ）のためのスターティングシンボルを決定することをさらに備える、
Ｃ１に記載の方法。
[Ｃ１８]
前記エンハンスドＰＤＣＣＨ中のインジケーションに基づいて前記エンハンスドＰＤＣＣＨによってスケジュールされる物理ダウンリンクデータ共有チャネル（ＰＤＳＣＨ）のためのスターティングシンボルを動的に決定することをさらに備える、
Ｃ１に記載の方法。
[Ｃ１９]
基地局がワイヤレス通信するための方法であって、前記方法は、
ユーザ機器（ＵＥ）に、エンハンスド物理リンク制御チャネル（ＰＤＣＣＨ）のために割振られた１つまたは複数のサブフレーム中の時間および周波数リソースのセットを示すシグナリングを送信することと、
サブフレーム中の前記エンハンスドＰＤＣＣＨを送信する決定を行うことと、
前記決定に応じて、前記サブフレーム中の前記時間および周波数リソースのセットを使用して前記エンハンスドＰＤＣＣＨを送信することと
を備える方法。
[Ｃ２０]
前記リソースのセットは、物理ダウンリンク共有チャネル（ＰＤＳＣＨ）のためにさらに使用される領域に及ぶ、Ｃ１９に記載の方法。
[Ｃ２１]
前記リソースのセットは、局在リソース割振りを有し、前記サブフレーム中の前半中の前記エンハンスドＰＤＣＣＨのために割振られたリソースは、前記エンハンスドＰＤＣＣＨのために割振られた前記サブフレームの後半中のリソースとペアを組む、Ｃ１９に記載の方法。
[Ｃ２２]
前記リソースのセットは、分散リソース割振りを有し、前記リソースのセットは、不連続リソースブロック中に割振られる、
Ｃ１９に記載の方法。
[Ｃ２３]
前記エンハンスドＰＤＣＣＨのために割振られた前記リソースのセットは、物理リソースブロック（ＰＲＢ）ペアを備えるユニットに配置される、
Ｃ１９に記載の方法。
[Ｃ２４]
リソースの少なくとも２つセットは、前記エンハンスドＰＤＣＣＨのために構成される、
Ｃ１９に記載の方法。
[Ｃ２５]
前記エンハンスドＰＤＣＣＨのためにモニタするサブフレームのサブセットを示す構成を提供するメッセージを送信することをさらに備える、
Ｃ１９に記載の方法。
[Ｃ２６]
前記メッセージは、ユニキャストメッセージおよびブロードキャストメッセージのうちの１つであり、前記構成は、ビットマップを介して前記サブフレームのサブセットを示す、
Ｃ２５に記載の方法。
[Ｃ２７]
前記サブフレーム中の前記エンハンスドＰＤＣＣＨを送信しないように決定が行われる場合、前記サブフレーム中のレガシーＰＤＣＣＨを送信することをさら備える、Ｃ１９に記載の方法。
[Ｃ２８]
前記基地局は、すべてのサブフレーム中のエンハンスドＰＤＣＣＨを送信するように決定を行うことを許容する、
Ｃ１９に記載の方法。
[Ｃ２９]
前記サブフレーム中の前記エンハンスドＰＤＣＣＨを送信することは、前記ＵＥに固有の探索空間中の前記エンハンスドＰＤＣＣＨを送信することを備える、
Ｃ１９に記載の方法。
[Ｃ３０]
制御フォーマットインジケータチャネルに基づいてサブフレーム中の前記エンハンスドＰＤＣＣＨのための前記リソースのセットのスターティングシンボルを決定することをさらに備える、
Ｃ１９に記載の方法。
[Ｃ３１]
無線リソース制御（ＲＲＣ）シグナリングを介して、前記エンハンスドＰＤＣＣＨのための前記リソースのセットのスターティングシンボルを示す構成を送信することをさらに備える、
Ｃ１９に記載の方法。
[Ｃ３２]
第１のサブフレーム中の第１のスターティングシンボルを決定することと、第２のサブフレーム中の、前記第１スターティングシンボルと異なる、第２のスターティングシンボルを決定することと
をさらに備える、Ｃ３１に記載の方法。
[Ｃ３３]
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
Ｃ３２に記載の方法。
[Ｃ３４]
サブフレーム中のユニキャストに対する前記エンハンスドＰＤＣＣＨのための前記リソースのセットの第１のスターティングシンボルを決定することと、同じサブフレーム中のブロードキャストまたはマルチキャストに対する前記エンハンスドＰＤＣＣＨのためのリソースの、前記第１のスターティングシンボルと異なる、第２のスターティングシンボルを決定することと
をさらに備える、Ｃ１９に記載の方法。
[Ｃ３５]
前記エンハンスドＰＤＣＣＨのスターティングシンボルインデックスを利用することによって物理ダウンリンクデータ共有チャネル（ＰＤＳＣＨ）のためのスターティングシンボルを決定することをさらに備える、
Ｃ１９に記載の方法。
[Ｃ３６]
前記エンハンスドＰＤＣＣＨ中のインジケーションを提供することによって、前記エンハンスドＰＤＣＣＨによってスケジュールされる物理ダウンリンクデータ共有チャネル（ＰＤＳＣＨ）のためのスターティングシンボルを動的に示すことをさらに備える、Ｃ１９に記載の方法。
[Ｃ３７]
ユーザ機器がワイヤレス通信するための装置であって、
エンハンスド物理リンク制御チャネル（ＰＤＣＣＨ）に割振られた１つまたは複数のサブフレーム中の時間および周波数リソースのセットを示すシグナリングを受信するための手段と、
サブフレーム中のダウンリンク送信を受信するための手段と、
前記シグナリングに基づいて前記サブフレーム中の前記エンハンスドＰＤＣＣＨのためにモニタする決定を行うための手段と、
前記決定に応じて、前記サブフレーム中の前記時間および周波数リソースのセットを使用して送信された前記エンハンスドＰＤＣＣＨを復号するための手段と
を備える、装置。
[Ｃ３８]
前記リソースのセットは、物理ダウンリンク共有チャネル（ＰＤＳＣＨ）のためにさらに使用される領域に及ぶ、
Ｃ３７に記載の装置。
[Ｃ３９]
前記リソースのセットは、局在リソース割振りを有し、前記サブフレームの前半中の前記エンハンスドＰＤＣＣＨのために割振られたリソースは、前記エンハンスドＰＤＣＣＨのために割振られた前記サブフレームの後半中のリソースとペアを組む、
Ｃ３７に記載の装置。
[Ｃ４０]
前記リソースのセットは、分散リソース不連続リソース割振りを有し、前記リソースのセットは、不連続リソースブロックに割振られる、
Ｃ３７に記載の装置。
[Ｃ４１]
前記エンハンスドＰＤＣＣＨのために割振られる前記リソースのセットは、物理リソースブロック（ＰＲＢ）ペアを備えるユニット中に配置される、
Ｃ３７に記載の装置。
[Ｃ４２]
リソースの少なくとも２つセットは、前記エンハンスドＰＤＣＣＨのために構成される、
Ｃ３７に記載の装置。
[Ｃ４３]
前記エンハンスドＰＤＣＣＨのためにモニタするサブフレームのサブセットを示す構成を提供するメッセージを受信する手段をさらに備える、
Ｃ３７に記載の装置。
[Ｃ４４]
前記メッセージは、ユニキャストメッセージおよびブロードキャストメッセージのうちの１つであり、前記構成は、ビットマップを介して前記サブフレームのサブセットを示す、
Ｃ４３に記載の装置。
[Ｃ４５]
前記サブフレーム中の前記エンハンスドＰＤＣＣＨをモニタしないように決定が行われる場合、サブフレーム中のレガシーＰＤＣＣＨをモニタするための手段をさらに備える、Ｃ３７に記載の装置。
[Ｃ４６]
すべてのサブフレーム中の前記エンハンスドＰＤＣＣＨをモニタする決定を行うための手段を備える、
Ｃ３７に記載の装置。
[Ｃ４７]
前記サブフレーム中の前記エンハンスドＰＤＣＣＨをモニタするための前記手段は、前記ＵＥに固有の探索空間をモニタするための手段を備える、
Ｃ３７に記載の装置。
[Ｃ４８]
制御フォーマットインジケータチャネルを検出することに応じて、前記制御フォーマットインジケータチャネルに基づいてサブフレーム中の前記エンハンスドＰＤＣＣＨのための前記リソースのセットのスターティングシンボルを決定するための手段をさらに備える、
Ｃ３７に記載の装置。
[Ｃ４９]
制御フォーマットインジケータチャネルを検出しないことに応じて、無線通信リソース制御（ＲＲＣ）構成に基づいて前記エンハンスドＰＤＣＣＨのための前記リソースのセットのスターティングシンボルを決定するための手段をさらに備える、
Ｃ３７に記載の装置。
[Ｃ５０]
第１のサブフレーム中の第１のスターティングシンボルを決定するための手段と、第２のサブフレーム中の前記第１のスターティングシンボルと異なる、第２のスターティングシンボルを決定するための手段と
をさらに備えるＣ４９に記載の装置。
[Ｃ５１]
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
Ｃ５０に記載の装置。
[Ｃ５２]
サブフレーム中のユニキャストのための前記エンハンスドＰＤＣＣＨのための前記リソースのセットの第１のスターティングシンボルを決定するための手段と、同じサブフレーム中のブロードキャストまたはマルチキャストのための前記エンハンスドＰＤＣＣＨのためのリソースのセットの、前記第１のスターティングシンボルと異なる、第２のスターティングシンボルを決定するための手段と
をさらに備える、Ｃ３７に記載の装置。
[Ｃ５３]
前記エンハンスドＰＤＣＣＨのスターティングシンボルを利用することによって物理ダウンリンクデータ共有チャネル（ＰＤＳＣＨ）のためのスターティングシンボルを決定するための手段をさらに備える、
Ｃ３７に記載の装置。
[Ｃ５４]
前記エンハンスドＰＤＣＣＨ中のインジケーションに基づいて前記エンハンスドＰＤＣＣＨによってスケジュールされる物理ダウンリンクデータ共有チャネル（ＰＤＳＣＨ）のためのスターティングシンボルを動的に決定するための手段をさらに備える、Ｃ３７に記載の装置。
[Ｃ５５]
基地局がワイヤレス通信するための装置であって、前記装置は、
ユーザ機器（ＵＥ）に、エンハンスド物理リンク制御チャネル（ＰＤＣＣＨ）のために割振られた１つまたは複数のサブフレーム中の時間および周波数リソースのセットを示すシグナリングを送信するための手段と、
サブフレーム中の前記エンハンスドＰＤＣＣＨを送信する決定を行うための手段と、
前記決定に応じて、前記サブフレーム中の前記時間および周波数リソースのセットを使用して前記エンハンスドＰＤＣＣＨを送信するための手段と
を備える、装置。
[Ｃ５６]
前記リソースのセットは、物理ダウンリンク共有チャネル（ＰＤＳＣＨ）のためにさらに使用される領域に及ぶ、Ｃ５５に記載の装置。
[Ｃ５７]
前記リソースのセットは、局在リソース割振りを有し、前記サブフレーム中の前半中の前記エンハンスドＰＤＣＣＨのために割振られたリソースは、前記エンハンスドＰＤＣＣＨのために割振られた前記サブフレームの後半中のリソースとペアを組む、Ｃ５５に記載の装置。
[Ｃ５８]
前記リソースのセットは、分散リソース割振りを有し、前記リソースのセットは、不連続リソースブロック中に割振られる、
Ｃ５５に記載の装置。
[Ｃ５９]
前記エンハンスドＰＤＣＣＨのために割振られた前記リソースのセットは、物理リソースブロック（ＰＲＢ）ペアを備えるユニットに配置される、
Ｃ５５に記載の装置。
[Ｃ６０]
リソースの少なくとも２つセットは、前記エンハンスドＰＤＣＣＨのために構成される、
Ｃ５５に記載の装置。
[Ｃ６１]
前記エンハンスドＰＤＣＣＨのためにモニタするサブフレームのサブセットを示す構成を提供するメッセージを送信するための手段をさらに備える、
Ｃ５５に記載の装置。
[Ｃ６２]
前記メッセージは、ユニキャストメッセージおよびブロードキャストメッセージのうちの１つであり、前記構成は、ビットマップを介して前記サブフレームのサブセットを示す、
Ｃ６１に記載の装置。
[Ｃ６３]
前記サブフレーム中の前記エンハンスドＰＤＣＣＨを送信しないように決定が行われる場合、前記サブフレーム中のレガシーＰＤＣＣＨを送信するための手段をさら備える、Ｃ５５に記載の装置。
[Ｃ６４]
前記基地局は、決定がすべてのサブフレーム中のエンハンスドＰＤＣＣＨを送信することを許容する、
Ｃ５５に記載の装置。
[Ｃ６５]
前記サブフレーム中の前記エンハンスドＰＤＣＣＨを送信するための手段は、前記ＵＥに固有の探索空間中の前記エンハンスドＰＤＣＣＨを送信することを備える、Ｃ５５に記載の装置。
[Ｃ６６]
制御フォーマットインジケータチャネルに基づいてサブフレーム中の前記エンハンスドＰＤＣＣＨのための前記リソースのセットのスターティングシンボルを決定するための手段をさらに備える、
Ｃ５５に記載の装置。
[Ｃ６７]
無線リソース制御（ＲＲＣ）シグナリングを介して、前記エンハンスドＰＤＣＣＨのための前記リソースのセットのスターティングシンボルを示す構成を送信するための手段をさらに備える、
Ｃ５５に記載の装置。
[Ｃ６８]
第１のサブフレーム中の第１のスターティングシンボルを決定するための手段と、第２のサブフレーム中の、前記第１スターティングシンボルと異なる、第２のスターティングシンボルを決定することと
をさらに備える、Ｃ６７に記載の装置。
[Ｃ６９]
前記第１のサブフレームは、マルチメディアブロードキャスト単一周波数ネットワーク（ＭＢＳＦＮ）サブフレームであり、前記第２のサブフレームは、非ＭＢＳＦＮサブフレームである、
Ｃ６８に記載の装置。
[Ｃ７０]
サブフレーム中のユニキャストのための前記エンハンスドＰＤＣＣＨのための前記リソースのセットの第１のスターティングシンボルを決定するための手段と、同じサブフレーム中のブロードキャストまたはマルチキャストのための前記エンハンスドＰＤＣＣＨのためのリソースの、前記第１のスターティングシンボルと異なる、第２のスターティングシンボルを決定するための手段と
をさらに備える、Ｃ５５に記載の装置。
[Ｃ７１]
前記エンハンスドＰＤＣＣＨのスターティングシンボルインデックスを利用することによって物理ダウンリンクデータ共有チャネル（ＰＤＳＣＨ）のためのスターティングシンボルを決定するための手段をさらに備える、
Ｃ５５に記載の装置。
[Ｃ７２]
前記エンハンスドＰＤＣＣＨ中のインジケーションを提供することによって、前記エンハンスドＰＤＣＣＨによってスケジュールされる物理ダウンリンクデータ共有チャネル（ＰＤＳＣＨ）のためのスターティングシンボルを動的に示すための手段をさらに備える、Ｃ５５に記載の装置。
[Ｃ７３]
ユーザ機器がワイヤレス通信するための装置であって、
エンハンスド物理リンク制御チャネル（ＰＤＣＣＨ）に割振られた１つまたは複数のサブフレーム中の時間および周波数リソースのセットを示すシグナリングを受信することと、
サブフレーム中のダウンリンク送信を受信することと、
前記シグナリングに基づいて前記サブフレーム中の前記エンハンスドＰＤＣＣＨのためにモニタする決定を行うことと、
前記決定に応じて、前記サブフレーム中の前記時間および周波数リソースのセットを使用して送信された前記エンハンスドＰＤＣＣＨを復号することと
を行うように構成される少なくとも１つのプロセッサと、
前記少なくとも１つのプロセッサに接続されるメモリと
を備える、装置。
[Ｃ７４]
基地局がワイヤレス通信するための装置であって、
ユーザ機器（ＵＥ）に、エンハンスド物理リンク制御チャネル（ＰＤＣＣＨ）のために割振られた１つまたは複数のサブフレーム中の時間および周波数リソースのセットを示すシグナリングを送信することと、
サブフレーム中の前記エンハンスドＰＤＣＣＨを送信する決定を行うことと、
前記決定に応じて、前記サブフレーム中の前記時間および周波数リソースのセットを使用して前記エンハンスドＰＤＣＣＨを送信することと
を行うように構成される少なくとも１つのプロセッサと、
前記少なくとも１つのプロセッサに接続されるメモリと
を備える、装置。
[Ｃ７５]
その上に格納された命令を有するコンピュータ可読媒体を備える、ユーザ機器がワイヤレス通信するためのコンピュータプログラム製品であって、前記命令は、
エンハンスド物理リンク制御チャネル（ＰＤＣＣＨ）に割振られた１つまたは複数のサブフレーム中の時間および周波数リソースのセットを示すシグナリングを受信することと、
サブフレーム中のダウンリンク送信を受信することと、
前記シグナリングに基づいて前記サブフレーム中の前記エンハンスドＰＤＣＣＨのためにモニタする決定を行うことと、
前記決定に応じて、前記サブフレーム中の前記時間および周波数リソースのセットを使用して送信された前記エンハンスドＰＤＣＣＨを復号することと
を少なくとも１つのプロセッサによって実行可能である、コンピュータプログラム製品。
[Ｃ７６]
その上に格納された命令を有するコンピュータ可読媒体を備える、基地局がワイヤレス通信するためのコンピュータプログラム製品であって、前記命令は、
ユーザ機器（ＵＥ）に、エンハンスド物理リンク制御チャネル（ＰＤＣＣＨ）のために割振られた１つまたは複数のサブフレーム中の時間および周波数リソースのセットを示すシグナリングを送信することと、
サブフレーム中の前記エンハンスドＰＤＣＣＨを送信する決定を行うことと、
前記決定に応じて、前記サブフレーム中の前記時間および周波数リソースのセットを使用して前記エンハンスドＰＤＣＣＨを送信することと
を少なくとも１つのプロセッサによって実行可能である、コンピュータプログラム製品
【図１】
0005893748.tif 000002
【図２】
0005893748.tif 000003
【図３】
0005893748.tif 000004
【図４Ａ】
0005893748.tif 000005
【図４Ｂ】
0005893748.tif 000006
【図５】
0005893748.tif 000007
【図６】
0005893748.tif 000008
【図７】
0005893748.tif 000009
【図８】
0005893748.tif 000010
【図９】
0005893748.tif 000011
【図１０】
0005893748.tif 000012
【図１１】
0005893748.tif 000013